(57)【要約】  エリア内に位置する無線端末に対してマルチメディアブロードキャスト／マルチキャストサービス（ＭＢＭＳ）を提供するように、所定の周波数帯域を使用した単一周波数ネットワーク（ＳＦＮ）で構成されるセル状に構成されたＭＢＭＳエリアを地理的に複数個配置してなるＭＢＭＳシステムにおいて、ある地点に位置する無線端末に対して異なるＭＢＭＳを同時に提供できるように周波数帯域を異にして複数個のＭＢＭＳエリアを配置する。
2010070844.tif 000002
【特許請求の範囲】
【請求項１】
所定の周波数帯域を使用した単一周波数ネットワークで構成される複数のセルで構成されたエリアを、複数の異なる位置及び複数の異なる周波数方向に複数配置し、前記エリア内に位置する無線端末に対してマルチメディアブロードキャスト／マルチキャストサービスを提供する無線通信システムにおいて、
所定の地点に位置する前記無線端末に対して異なる前記マルチメディアブロードキャスト／マルチキャストサービスを同時に提供できるように、周波数帯域の異なる複数個の前記エリアを互いに重なり合うように配置可能に構成したことを特徴とする無線通信システム。
【請求項２】
前記各セルは前記マルチメディアブロードキャスト／マルチキャストサービスを送信する無線送信装置をそれぞれ備え、前記無線送信装置は、前記エリアであるマルチメディアブロードキャスト／マルチキャストサービスエリアのうち、自己が属するマルチメディアブロードキャスト／マルチキャストサービスエリアの各セルに共通の信号と自己が属するセルに固有の信号とを送信することを特徴とする請求項１に記載の無線通信システム。
【請求項３】
前記固有の信号は、異なるマルチメディアブロードキャスト／マルチキャストサービスを同時に提供する他のマルチメディアブロードキャスト／マルチキャストサービスエリアに関するサービス情報を含むことを特徴とする請求項２に記載の無線通信システム。
【請求項４】
前記固有の信号は、自己が属するマルチメディアブロードキャスト／マルチキャストサービスエリアの位置情報を含むことを特徴とする請求項２に記載の無線通信システム。
【請求項５】
前記固有の信号は、同期信号を含み、前記同期信号はセル毎に固有のコードから構成されることを特徴とする請求項２に記載の無線通信システム。
【請求項６】
前記固有の信号は、各セルに固有のリファレンス信号を含むことを特徴とする請求項２に記載の無線通信システム。
【請求項７】
前記共通の信号は、マルチメディアブロードキャスト／マルチキャストサービスデータと各セル共通のリファレンス信号とを含むことを特徴とする請求項２に記載の無線通信システム。
【請求項８】
前記サービス情報は、前記他のマルチメディアブロードキャスト／マルチキャストサービスエリアで前記マルチメディアブロードキャスト／マルチキャストサービスに使用されている前記周波数帯とサービス内容とを示す帯域情報であることを特徴とする請求項３に記載の無線通信システム。
【請求項９】
前記固有の信号は、報知信号を含み、前記報知信号を用いて前記サービス情報を送信することを特徴とする請求項３に記載の無線通信システム。
【請求項１０】
前記位置情報は、自己が属するマルチメディアブロードキャスト／マルチキャストサービスエリアの境界を示すエリア端情報であることを特徴とする請求項４に記載の無線通信システム。
【請求項１１】
前記固有の信号は、報知信号を含み、前記報知信号を用いて前記位置情報を送信することを特徴とする請求項４に記載の無線通信システム。
【請求項１２】
請求項１に記載のマルチメディアブロードキャスト／マルチキャストサービスシステムの各セルに備えられ、前記マルチメディアブロードキャスト／マルチキャストサービスを送信する無線送信装置において、前記無線送信装置は、
自己が属するマルチメディアブロードキャスト／マルチキャストサービスエリアの各セルに共通の信号と自己が属するセルに固有の信号とを送信することを特徴とする無線送信装置。
【請求項１３】
前記固有の信号は、異なるマルチメディアブロードキャスト／マルチキャストサービスを同時に提供する他のマルチメディアブロードキャスト／マルチキャストサービスエリアに関するサービス情報を含むことを特徴とする請求項１２に記載の無線送信装置。
【請求項１４】
前記固有の信号は、自己が属するマルチメディアブロードキャスト／マルチキャストサービスエリアの位置情報を含むことを特徴とする請求項１２に記載の無線送信装置。
【請求項１５】
前記固有の信号は、同期信号を含み、前記同期信号はセル毎に固有のコードから構成されることを特徴とする請求項１２に記載の無線送信装置。
【請求項１６】
前記固有の信号は、各セルに固有のリファレンス信号を含むことを特徴とする請求項１２に記載の無線送信装置。
【請求項１７】
前記共通の信号は、マルチメディアブロードキャスト／マルチキャストサービスデータと各セル共通のリファレンス信号とを含むことを特徴とする請求項１２に記載の無線送信装置。
【請求項１８】
前記サービス情報は、前記他のマルチメディアブロードキャスト／マルチキャストサービスエリアで前記マルチメディアブロードキャスト／マルチキャストサービスに使用されている前記周波数帯とサービス内容とを示す帯域情報であることを特徴とする請求項１３に記載の無線送信装置。
【請求項１９】
前記固有の信号は、報知信号を含み、前記報知信号を用いて前記サービス情報を送信することを特徴とする請求項１３に記載の無線送信装置。
【請求項２０】
前記位置情報は、自己が属する前記マルチメディアブロードキャスト／マルチキャストサービスエリアの境界を示すエリア端情報であることを特徴とする請求項１４に記載の無線送信装置。
【請求項２１】
前記固有の信号は、報知信号を含み、前記報知信号を用いて前記位置情報を送信することを特徴とする請求項１４に記載の無線送信装置。
【請求項２２】
所定の周波数帯域を使用した単一周波数ネットワークで構成される複数のセルで構成されたエリアを配置し、前記エリア内に位置する無線端末に対してマルチメディアブロードキャスト／マルチキャストサービスを提供する無線通信システムの各セルに備えられ、前記マルチメディアブロードキャスト／マルチキャストサービスを送信する無線送信装置において、
前記無線送信装置は、
自己が属するエリアの各セルに共通の信号と自己が属するセルに固有の信号とを送信し、前記固有の信号は、前記マルチメディアブロードキャスト／マルチキャストサービスエリアの位置情報を含むことを特徴とする無線送信装置。
【請求項２３】
前記位置情報は、自己が属する前記マルチメディアブロードキャスト／マルチキャストサービスエリアの境界を示すエリア端情報であることを特徴とする請求項２２に記載の無線送信装置。
【請求項２４】
前記固有の信号は、同期信号を含み、前記同期信号はセル毎に固有のコードから構成されることを特徴とする請求項２２に記載の無線送信装置。
【請求項２５】
前記固有の信号は、各セルに固有のリファレンス信号を含むことを特徴とする請求項２２に記載の無線送信装置。
【請求項２６】
前記共通の信号は、マルチメディアブロードキャスト／マルチキャストサービスデータと各セル共通のリファレンス信号とを含むことを特徴とする請求項２２に記載の無線送信装置。
【請求項２７】
請求項１２又は２２に記載の無線送信装置が送信する前記マルチメディアブロードキャスト／マルチキャストサービスを受信する無線端末であって、前記無線端末は、前記共通の信号を復調する第１の復調部と、
前記固有の信号を復調する第２の復調部とを備えたことを特徴とする無線端末。
【請求項２８】
前記第２の復調部は、前記固有の信号に含まれるリファレンス信号を利用して前記固有の信号の伝搬路の推定を行うことにより、前記固有の信号を復調することを特徴とする請求項２７に記載の無線端末。
【請求項２９】
前記第２の復調部は、前記固有の信号に含まれる同期信号を利用して前記固有の信号の伝搬路の推定を行うことにより前記固有の信号を復調することを特徴とする請求項２７に記載の無線端末。
【請求項３０】
前記固有の信号は、異なるマルチメディアブロードキャスト／マルチキャストサービスを同時に提供する他のマルチメディアブロードキャスト／マルチキャストサービスエリアに関するサービス情報を含み、前記サービス情報は、前記他のマルチメディアブロードキャスト／マルチキャストサービスエリアで前記マルチメディアブロードキャスト／マルチキャストサービスに使用されている前記周波数帯とサービス内容とを示す帯域情報を含み、前記無線端末は、１つのマルチメディアブロードキャスト／マルチキャストサービスの行われている周波数帯域を検出した後に、前記固有の信号から前記帯域情報を取得することにより、受信可能な他のマルチメディアブロードキャスト／マルチキャストサービスのサーチを行うことを特徴とする請求項２７に記載の無線端末。
【請求項３１】
前記共通の信号はマルチメディアブロードキャスト／マルチキャストサービスデータと各セル共通のリファレンス信号とを含み、前記無線端末は前記共通のリファレンス信号の受信レベルが所定の閾値よりも小さくなったとき、取得している前記帯域情報に基いて受信可能な他のマルチメディアブロードキャスト／マルチキャストサービスを選択することを特徴とする請求項３０に記載の無線端末。
【請求項３２】
前記固有の信号は、自己が属する前記マルチメディアブロードキャスト／マルチキャストサービスエリアの位置情報を含み、前記位置情報は、自己が属する前記マルチメディアブロードキャスト／マルチキャストサービスエリアの境界を示すエリア端情報を含み、前記無線端末は前記共通のリファレンス信号の受信レベルが所定の閾値よりも小さく、かつ、取得した前記エリア端情報が境界を示しているとき、取得している前記帯域情報に基づいて受信可能な他のマルチメディアブロードキャスト／マルチキャストサービスを選択することを特徴とする請求項３０に記載の無線端末。
【請求項３３】
マルチメディアブロードキャスト／マルチキャストサービスデータと制御データ、報知信号をそれぞれ変調して得られるＭＢＭＳデータシンボル、ＢＣＨシンボルと、プライマリ同期シンボルと、セカンダリ同期シンボルと、セル共通リファレンス信号シンボルと、セル固有リファレンス信号シンボルとを、複数のＯＦＤＭシンボルで構成されるサブフレームを時間軸方向に１０個結合してフレームとし、該フレームを周波数軸方向に所定のサブキャリア間隔で配列して構成した、シンボル配置テーブルに配置するシンボル配置方法であって、
前記サブフレームを３つに分類し、第１分類のサブフレームには、セル共通リファレンス信号シンボルとＭＢＭＳデータシンボルとを配置し、第２分類のサブフレームには、プライマリ同期シンボルとセカンダリ同期シンボルとセル固有リファレンス信号シンボルとＢＣＨシンボルとを配置し、第３分類のサブフレームには、セル共通リファレンス信号シンボルとＭＢＭＳデータシンボルとプライマリ同期シンボルとセカンダリ同期シンボルとを配置すること
を特徴とするシンボル配置方法。
【請求項３４】
前記第２分類および第３分類のサブフレームには、プライマリ同期シンボルおよびセカンダリ同期シンボルのサブキャリア間隔を他のシンボルの２倍の周波数間隔にして配置することを特徴とする請求項３３に記載のシンボル配置方法。
【発明の詳細な説明】
【技術分野】
【０００１】
本発明は、無線通信システム、無線通信装置、無線端末、およびそのシンボル配置装置に関する。
本願は、２００８年１２月１９日に、日本に出願された特願２００８−３２３７９１号、および２００９年８月２６日に、日本に出願された特願２００９−１９５３７８号に基づき優先権を主張し、その内容をここに援用する。
【背景技術】
【０００２】
第三世代移動通信技術はＷＣＤＭＡ（広帯域符号分割多元接続）方式で、高いスペクトル利用効率、通話品質の向上及び高速伝送を実現するものとして発展してきた。第三世代移動通信システムのマルチメディア機能を増強するために、３ＧＰＰ（第三世代パートナーシッププロジェクト）が制定した通信プロトコルではＭＢＭＳが規定されている。ＭＢＭＳ（マルチメディアブロードキャスト／マルチキャストサービス）は従来のＵＭＴＳ（汎用移動通信システム）ネットワーク構造の上に構築され、ＩＰ（インターネットプロトコル）パケットを媒介としてデータソースから同じサービスを複数のユーザに同時に提供することを可能とする。
このように、ＭＢＭＳは、モバイル・パケットネットワークを使った放送／マルチキャストサービスである。【０００３】
一方、これまでの動画像コンテンツ配信サービスでは、コンテンツはＣＳ（Ｃｉｒｃｕｉｔ  Ｓｗｉｔｃｈｉｎｇ：回線交換）領域で転送され、サービスを受けるユーザ毎にサーバとの間でポイント−トゥ−ポイント（Ｐｏｉｎｔ−ｔｏ−Ｐｏｉｎｔ）接続が行われ、ストリーミングによるコンテンツの提供が行われている。【０００４】
また、現行のテレビやラジオなどの放送は、地域によってサービスが行われている周波数帯域（チャネル）が決まっており、最初に受信可能な帯域をサーチしておいてから地域の視聴したい放送の帯域を指定して受信する。しかし、テレビやラジオなどの放送は、１つのサービスエリアには１つの放送サービス局しか存在せず、エリア内のセルを切替えながらサービスを提供するものではなく、また、受信端末との接続はコンテンツ配信サービスと同様にＣＳ領域で行われている。【０００５】
多くのユーザに、同時に、マルチメディアサービスを提供する場合には、マルチキャストでのサービスが必要となる。マルチキャストによる接続をＰＳ（Ｐａｃｋｅｔ  Ｓｗｉｔｃｈｉｎｇ：パケット交換）領域で行うサービスがＭＢＭＳであり、ポイント−トゥ−マルチポイント（Ｐｏｉｎｔ−ｔｏ−Ｍｕｌｔｉｐｏｉｎｔ）型の無線チャネルが検討されている。このようにＭＢＭＳと従来の動画像コンテンツ配信サービスやテレビやラジオなどの放送とは接続方式を異にするものである。【０００６】
なお、ＭＢＭＳの受信効率を改善するために、３ＧＰＰによるＲＲＣ（無線資源制御）プロトコル規格及び改善要求書では、ＭＢＭＳの送信過程で周波数切替によるサービスの中断を減少させるために、単一周波数ネットワーク（ＳＦＮ：Ｓｉｎｇｌｅ  Ｆｒｅｑｕｅｎｃｙ  Ｎｅｔｗｏｒｋ）の搬送波でＭＢＭＳを送信することを規定している。【０００７】
さらに、ＭＢＭＳでは、ＭＢＭＳ以外のサービスと共に用いられる周波数帯を利用するＭＢＭＳ／ユニキャスト混合セル（ＭＢＭＳ／Ｕｎｉｃａｓｔ−ｍｉｘｅｄ  ｃｅｌｌ）と、ＭＢＭＳ専用の周波数帯を利用するＭＢＭＳ個別セル（ＭＢＭＳ−ｄｅｄｉｃａｔｅｄ  ｃｅｌｌ）のどちらか、またはその両方を利用することが検討されている。【０００８】
どちらの場合も、ＭＢＭＳの伝送はＳＦＮで行なわれ、その場合は、ＭＢＭＳ  ＳＦＮ（略してＭＢＳＦＮ：Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ：マルチメディアブロードキャスト単一周波数ネットワーク）と呼ばれる。ＭＢＭＳ及びＭＢＭＳを提供する無線通信システムに関しては、特許文献１や非特許文献１〜３に記載されたものが知られている。【０００９】
非特許文献１の１５．２章には、ＭＢＭＳ／ユニキャスト混合セルやＭＢＭＳ個別セルについて規定している。特にＭＢＭＳ個別セルについては、ＭＢＭＳ／ユニキャスト混合セルとは異なり、無線端末からセルに向う上り信号が存在せずセルから無線端末に向う下り信号のみとなっている。また、非特許文献２、非特許文献３には、ＭＢＭＳ個別セルの報知チャネルをＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）エリアに共通にしたり、セル固有にしたりすること等が記載されている。ただし、非特許文献１に記載されている３ＧＰＰシステムでは特にＤ−ＭＢＭＳ（Ｄｅｄｉｃａｔｅｄ  ＭＢＭＳ）が具体的にどのようにサービス運用されるのかは明示されていない。【００１０】
また、特許文献１にはＭＢＭＳのＩＤの通知について記載されており、ＭＢＭＳのＩＤ（ＭＢＭＳ識別子と呼ばれる）は、ＭＢＭＳを送信するセルを示すセル識別子と共に、ページングメッセージにより端末に通知されることが記載されている。
【先行技術文献】
【特許文献】
【００１１】
【特許文献１】特表２００７−５０３１５８号公報
【非特許文献】
【００１２】
【非特許文献１】３ＧＰＰ  ＴＳ  ３６．３００  Ｖ８．５．０
【非特許文献２】３ＧＰＰ  改善要求書Ｒ１−０７４３３９
【非特許文献３】３ＧＰＰ  改善要求書Ｒ１−０８０８２６
【発明の概要】
【発明が解決しようとする課題】
【００１３】
現状のテレビやラジオなどの放送サービスは地域によって、複数の周波数帯（チャネル）を利用してサービスがなされている。このような放送サービスシステムを用いてＭＢＭＳを提供することを考えてみる。【００１４】
図１は、ＭＢＭＳを提供する放送サービスシステムの概念図を示したもので、ＭＢＭＳが、スポット的に様々な周波数帯で提供されている様子をあらわしている。縦方向はＭＢＭＳが行なわれている周波数帯、横方向は受信端末の位置をそれぞれ示す。４つのサービスエリアが設置されており、ＭＢＭＳエリア１では周波数帯ｆ１で、ＭＢＭＳエリア２では周波数帯ｆ２で、ＭＢＭＳエリア３では周波数帯ｆ２で、ＭＢＭＳエリア４では周波数帯ｆ３でＭＢＭＳが提供されている。【００１５】
１つのサービスエリアは１つの放送サービス局で構成されている。図１のような放送サービスシステムにおいて、新たなスポットでＭＢＭＳを行いたい場合には、新たに別の放送サービス局を設置する必要がある。また、ＭＢＭＳエリアの形状を自在に変更することは困難である。従って、図１のような形態の放送サービスシステムでは、流動的なＭＢＭＳを提供することは困難である。【００１６】
さらに図１のサービスシステムの場合には、現行のテレビ放送等のようにサービスの受信前にサービスのサーチを行う方法だと、受信端末が位置ｘ１、ｘ２、ｘ３に移動するたびに、全サービス（周波数）のサーチを行う必要がある。従って、比較的狭いエリアでサービスを行うような図１のサービスシステムにおいては、サービスの選択が非常にわずらわしい。また、サービスされている周波数帯も流動的に存在する場合には、サーチ時間も大幅に増加するという問題がある。【００１７】
本発明は上記事情に鑑みなされたもので、ＭＢＭＳを柔軟かつ動的に提供することの出来る無線通信システム及び該システムに使用される無線送信装置と無線端末とを提供することを目的とする。
【課題を解決するための手段】
【００１８】
本発明の無線通信システムは、所定の周波数帯域を使用した単一周波数ネットワークで構成される複数のセルで構成されたエリアを、複数の異なる位置及び複数の異なる周波数方向に複数配置し、前記エリア内に位置する無線端末に対してマルチメディアブロードキャスト／マルチキャストサービスを提供する無線通信システムにおいて、所定の地点に位置する前記無線端末に対して異なる前記マルチメディアブロードキャスト／マルチキャストサービスを同時に提供できるように、周波数帯域の異なる複数個の前記エリア（以下、ＭＢＭＳエリアという）を互いに重なり合うように配置可能に構成することを特徴としている。【００１９】
本発明の無線通信システムによれば、移動無線システムのセルに配置された既存の基地局を利用して、新たに基地局を増設することなく、様々な形、大きさのエリアのサービス、様々なサービス期間の設定など、マルチメディアブロードキャスト／マルチキャストサービスを柔軟かつ動的に行うことが可能となる。【００２０】
また、本発明の無線通信システムは、上述の無線通信システムであって、前記各セルは前記マルチメディアブロードキャスト／マルチキャストサービスを送信する無線送信装置をそれぞれ備え、前記無線送信装置は、前記エリアであるマルチメディアブロードキャスト／マルチキャストサービスエリアのうち、自己が属するマルチメディアブロードキャスト／マルチキャストサービスエリアの各セルに共通の信号と自己が属するセルに固有の信号とを送信するよう構成することを特徴としている。さらに前記固有の信号は、異なるマルチメディアブロードキャスト／マルチキャストサービスを同時に提供する他のマルチメディアブロードキャスト／マルチキャストサービスエリアに関するサービス情報を含み、前記サービス情報は、前記他のマルチメディアブロードキャスト／マルチキャストサービスエリアで前記マルチメディアブロードキャスト／マルチキャストサービスに使用されている前記周波数帯とサービス内容とを示す帯域情報であるよう構成することを特徴としている。【００２１】
このような構成とすることにより、無線端末は位置に応じて柔軟に複数のマルチメディアブロードキャスト／マルチキャストサービスエリアに関する情報を入手することが可能となる。また、サービスを行っているすべての周波数帯のサーチを行うことなく、位置に応じて柔軟に帯域情報を入手することが可能となる。【００２２】
また、本発明の無線通信システムは、上述の無線通信システムであって、前記固有の信号は、自己が属するマルチメディアブロードキャスト／マルチキャストサービスエリアの位置情報を含むよう構成することを特徴とし、さらに、前記位置情報は、自己が属するマルチメディアブロードキャスト／マルチキャストサービスエリアの境界を示すエリア端情報であるよう構成することを特徴としている。【００２３】
このような構成とすることにより、無線端末がマルチメディアブロードキャスト／マルチキャストサービスエリア内にいるにもかかわらず、周辺環境の影響でセルに共通の信号の受信レベルが一時的に落ち込んでも、別のマルチメディアブロードキャスト／マルチキャストサービスエリアのサービスに切り替わってしまうことを防ぐことができる。また、無線端末がマルチメディアブロードキャスト／マルチキャストサービスエリアの境界にいることを認識して、放送録画している場合にはユーザ自身が移動を止めたりするなどの判断を行うことが可能となる。【００２４】
また、本発明の無線通信システムは、上述の無線通信システムであって、前記固有の信号は、報知信号を含み、前記報知信号を用いて前記サービス情報を送信するよう構成することを特徴とする。また、前記固有の信号が、報知信号を含み、前記報知信号を用いて前記位置情報を送信し、前記固有の信号は、同期信号を含み、前記同期信号は各セル毎に固有のコードから構成されることを特徴としている。また、前記固有の信号が、各セルに固有のリファレンス信号を含み、前記共通の信号は、マルチメディアブロードキャスト／マルチキャストサービスデータと各セル共通のリファレンス信号とを含むよう構成することを特徴としている。【００２５】
このように構成することにより、マルチメディアブロードキャスト／マルチキャストサービスエリアに固有のセルのサーチをする場合のセルサーチの高速化を図ることができる。また、無線端末側での報知信号の復調精度を高めることが出来る。【００２６】
本発明の無線送信装置は、上述した本発明の無線通信システム中又は１つの周波数帯域でマルチメディアブロードキャスト／マルチキャストサービスを行っているシステム中で使用されるもので、自己が属するマルチメディアブロードキャスト／マルチキャストサービスエリアの各セルに共通の信号と自己が属するセルに固有の信号とを送信するように構成することを特徴としている。なお、１つの周波数帯でマルチメディアブロードキャスト／マルチキャストサービスを行っている場合には、固有の信号には前記マルチメディアブロードキャスト／マルチキャストサービスエリアの位置情報が含まれる。【００２７】
また、本発明の無線送信装置は、前記サービス情報が、前記他のマルチメディアブロードキャスト／マルチキャストサービスエリアで前記マルチメディアブロードキャスト／マルチキャストサービスに使用されている前記周波数帯とサービス内容とを示す帯域情報であるよう構成したことを特徴とする。
また、本発明の無線送信装置は、前記固有の信号が、自己が属するマルチメディアブロードキャスト／マルチキャストサービスエリアの位置情報を含むよう構成したことを特徴とする。
また、本発明の無線送信装置は、前記位置情報が、自己が属するマルチメディアブロードキャスト／マルチキャストサービスエリアの境界を示すエリア端情報であるよう構成したことを特徴とする。【００２８】
また、本発明の無線送信装置は、前記固有の信号が、報知信号を含み、前記報知信号を用いて前記サービス情報を送信するよう構成したことを特徴とする。
また、本発明の無線送信装置は、前記固有の信号が、報知信号を含み、前記報知信号を用いて前記位置情報を送信するよう構成したことを特徴とする。
また、本発明の無線送信装置は、前記固有の信号が、同期信号を含み、前記同期信号は各セル毎に固有のコードから構成されることを特徴とする。【００２９】
また、本発明の無線送信装置は、前記固有の信号が、各セルに固有のリファレンス信号を含むよう構成したことを特徴とする。
また、本発明の無線送信装置は、前記共通の信号が、マルチメディアブロードキャスト／マルチキャストサービスデータと各セル共通のリファレンス信号とを含むよう構成したことを特徴とする。【００３０】
本発明の無線端末は、上述した本発明の無線通信システム中又は１つの周波数帯域でマルチメディアブロードキャスト／マルチキャストサービスを行っているシステム中で使用されるもので、前記共通の信号を復調する第１の復調部と前記固有の信号を復調する第２の復調部とを備えたことを特徴とする。
このような構成を採用することにより、本発明の無線送信装置からのマルチメディアブロードキャスト／マルチキャストサービス情報の受信が可能となり、サービスを行っているすべての周波数帯のサーチを行うことなく、位置に応じて柔軟に帯域情報を入手することが可能となる。【００３１】
また、本発明の無線端末は、前記第２の復調部が、前記固有の信号に含まれるリファレンス信号を利用して前記固有の信号の伝搬路の推定を行うことにより、前記固有の信号を復調するよう構成したことを特徴とする。
また、本発明の無線端末は、前記第２の復調部が、前記固有の信号に含まれる同期信号を利用して前記固有の信号の伝搬路の推定を行うことにより前記固有の信号を復調するよう構成したことを特徴とする。【００３２】
また、本発明の無線端末は、前記固有の信号が、異なるマルチメディアブロードキャスト／マルチキャストサービスを同時に提供する他のマルチメディアブロードキャスト／マルチキャストサービスエリアに関するサービス情報を含み、前記サービス情報が、前記他のマルチメディアブロードキャスト／マルチキャストサービスエリアで前記マルチメディアブロードキャスト／マルチキャストサービスに使用されている前記周波数帯とサービス内容とを示す帯域情報を含み、前記無線端末は、１つのマルチメディアブロードキャスト／マルチキャストサービスの行われている周波数帯域を検出した後に、前記固有の信号から前記帯域情報を取得することにより、受信可能な他のマルチメディアブロードキャスト／マルチキャストサービスのサーチを行うよう構成したことを特徴とする。【００３３】
また、本発明の無線端末は、前記共通の信号がマルチメディアブロードキャスト／マルチキャストサービスデータと各セル共通のリファレンス信号とを含み、前記無線端末は前記共通のリファレンス信号の受信レベルが所定の閾値よりも小さくなったとき、取得している前記帯域情報に基いて受信可能な他のマルチメディアブロードキャスト／マルチキャストサービスを選択するよう構成したことを特徴とする。【００３４】
また、本発明の無線端末は、前記固有の信号が、自己が属するマルチメディアブロードキャスト／マルチキャストサービスエリアの位置情報を含み、前記位置情報は、自己が属するマルチメディアブロードキャスト／マルチキャストサービスエリアの境界を示すエリア端情報を含み、前記無線端末は前記共通のリファレンス信号の受信レベルが所定の閾値よりも小さく、かつ、取得した前記エリア端情報が境界を示しているとき、取得している前記帯域情報に基いて受信可能な他のマルチメディアブロードキャスト／マルチキャストサービスを選択するよう構成したことを特徴とする。【００３５】
上記のように構成することで、報知信号の復調精度を高めることが出来る。また、セル固有のリファレンス信号が提供されていない場合でも、セル固有の同期信号を利用して報知信号の復調を行うことが可能となる。
さらに、無線端末が移動した場合に再度のサービスサーチを行うことなくスムーズにマルチメディアブロードキャスト／マルチキャストサービスエリアのハンドオーバを行うことができる。また、マルチメディアブロードキャスト／マルチキャストサービスエリアの境界を確実に判別することができる。【００３６】
また、本発明のシンボル配置方法は、マルチメディアブロードキャスト／マルチキャストサービスデータと制御データ、報知信号をそれぞれ変調して得られるＭＢＭＳデータシンボル、ＢＣＨシンボルと、プライマリ同期シンボルと、セカンダリ同期シンボルと、セル共通リファレンス信号シンボルと、セル固有リファレンス信号シンボルとを、複数のＯＦＤＭシンボルで構成されるサブフレームを時間軸方向に１０個結合してフレームとし、該フレームを周波数軸方向に所定のサブキャリア間隔で配列して構成した、シンボル配置テーブルに配置するシンボル配置方法であって、前記サブフレームを３つに分類し、第１分類のサブフレームには、セル共通リファレンス信号シンボルとＭＢＭＳデータシンボルとを配置し、第２分類のサブフレームには、プライマリ同期シンボルとセカンダリ同期シンボルとセル固有リファレンス信号シンボルとＢＣＨシンボルとを配置し、第３分類のサブフレームには、セル共通リファレンス信号シンボルとＭＢＭＳデータシンボルとプライマリ同期シンボルとセカンダリ同期シンボルとを配置することを特徴とする。【００３７】
また、本発明のシンボル配置方法は、上述のシンボル配置方法であって、前記第２分類および第３分類のサブフレームには、プライマリ同期シンボルおよびセカンダリ同期シンボルのサブキャリア間隔を他のシンボルの２倍の周波数間隔にして配置することを特徴とする。
【発明の効果】
【００３８】
本発明のシステムでは、既存の移動無線システムに設置された基地局を利用して、新たに基地局を増設することなく、様々な形、大きさのエリアのサービス、様々なサービス期間の設定など、ＭＢＭＳにおけるサービスを柔軟かつ動的に行うことが可能となる。【００３９】
また、本発明のシステムのように複数の周波数帯域でＭＢＭＳを実施している地域において、全周波数サーチを行わずに、位置に応じて柔軟に帯域情報を入手することが可能となる。このため、短時間で希望のサービスの受信が可能になる。
また、端末が移動してＭＢＭＳエリア間をまたぐ場合でも、帯域情報を保持しながらまたぐことが可能であり、いちいち希望のサービスのサーチをしなおす必要がない。
【図面の簡単な説明】
【００４０】
【図１】放送サービスシステムの概念図。
【図２】本発明のＭＢＭＳシステムの概念図。
【図３ａ】ＭＢＭＳのサービス毎に基地局が異なるシステムの概念図。
【図３ｂ】同一の基地局で複数のＭＢＭＳを実施しているシステムの概念図。
【図４】本発明に係る基地局の送信部の構成を示す機能ブロック図。
【図５】基地局の信号フォーマットを示す図。
【図６ａ】サブフレームのシンボル配置図。
【図６ｂ】サブフレームのシンボル配置図。
【図６ｃ】サブフレームのシンボル配置図。
【図６ｄ】サブフレームのシンボル配置図。
【図６ｅ】サブフレームのシンボル配置図。
【図７】報知情報に含まれるＭＢＭＳ帯域情報の説明図。
【図８】本発明の無線端末の構成を示す機能ブロック図。
【図９】本発明によるＭＢＭＳ受信のフロー図。
【図１０ａ】無線端末がＭＢＭＳエリア間を移動する場合の受信のフロー図（その１）。
【図１０ｂ】無線端末がＭＢＭＳエリア間を移動する場合の受信のフロー図（その２）。
【図１１】本発明の他の実施の形態に係るＭＢＭＳを提供する無線通信システムの概念図。
【図１２】図１１に示す無線通信システムにおけるＭＢＭＳ帯域情報の説明図。
【発明を実施するための形態】
【００４１】
図２は、本発明におけるＭＢＭＳ（Multimedia Broadcast/Multicast Service；マルチメディアブロードキャスト／マルチキャストサービス）を提供する無線通信システム（以下、ＭＢＭＳシステムという）の概念図を示す。図２は図１と同様に、音声、画像等全端末共通で利用できるＭＢＭＳ（Ｍｕｌｔｉｍｅｄｉａ  Ｂｒｏａｄｃａｓｔ  Ｍｕｌｔｉｃａｓｔ  ｓｅｒｖｉｃｅ）がスポット的に様々な周波数帯でサービスされている様子をあらわしている。本ＭＢＭＳシステムには、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術を用いた無線通信システムが利用できる。
【００４２】
図２の縦方向はＭＢＭＳが提供される周波数帯、横方向は無線端末の位置をそれぞれ示している。図２では、位置ｘ１からｘ３を含む地域で、ｆ１からｆ４の周波数帯で４つのＭＢＭＳが提供されている様子を示している。ＭＢＭＳエリア１では周波数帯ｆ１で、ＭＢＭＳエリア２では周波数帯ｆ２で、ＭＢＭＳエリア３では周波数帯ｆ２で、ＭＢＭＳエリア４では周波数帯ｆ３でＭＢＭＳが提供されている。ただし、この時点では周波数帯ｆ４ではＭＢＭＳは提供されていない。１つのＭＢＭＳエリア内では同一の内容がサービスされる。４つのＭＢＭＳはそれぞれＭＢＭＳエリア１〜４で提供されており、それぞれＳＡ１放送、ＳＡ２放送、ＳＡ３放送、ＳＡ４放送が提供されている。それぞれのＭＢＭＳエリア１〜４は複数のセルから構成されており、セル毎に基地局（ＢＳ）が設けられている。ただし、図２はサービスの観点で分けて図示しており、ＭＢＭＳエリア１と２の基地局は同一の基地局であってもよく、例えばＢＳ１−６とＢＳ２−６の基地局が同一であってもよい。すなわち１つの基地局で複数のＭＢＭＳを提供している場合もある。
【００４３】
それぞれのセル（基地局）は、無線端末と通信するために必要な情報を報知信号として報知している。後述するように、本発明の実施の形態ではこの報知信号を用いて本発明に係る帯域情報、すなわち無線端末の位置におけるＭＢＭＳ情報を報知している。従って、報知信号はセル毎に異なる信号となる。ただし、本発明に係るセル特有のＭＢＭＳ情報は報知信号を用いて送出することに限定されるわけではなく、セル毎に異なる信号を用いて送出するのであれば本発明を実施することは可能である。通常、ＭＢＭＳのサービス（ＳＡ）の情報データについてはＭＢＭＳエリアに属するすべてのセルから共通のデータが送出されており、無線端末は複数のセルからの情報データを合成して受信を行う。一方、セル毎に異なる報知信号については合成を行うことはできないため、最もレベルの高いセルからの報知信号のみを受信することとなる。
【００４４】
位置ｘ１は、ＳＡ１とＳＡ２の放送が受信可能な地点であるが、無線端末ＭＳ１はＳＡ２放送を受信している様子を示している。無線端末ＭＳ１は基地局ＢＳ２−６（ＢＳ１−６）のセル内に存在しており、報知信号は基地局ＢＳ２−６からのみ受信し、その他のＳＡ２情報データは基地局ＢＳ２−６およびＢＳ２−５やＢＳ２−９などの複数の周辺セルから受信し、受信した信号を合成して使用する。詳細は後述するが、無線端末ＭＳ１は報知信号により位置ｘ１に特有の情報、例えばその位置でサービスされている周波数帯とサービス内容とが通知されており、無線端末ＭＳ１は現在受信しているＳＡ２放送以外にＳＡ１放送も受信可能であることを認識している。
【００４５】
同様に、位置ｘ２にいる無線端末ＭＳ２は、ＳＡ１放送、ＳＡ３放送、ＳＡ４放送が受信可能であることを認識しており、現在ＳＡ４放送を受信している。また、位置ｘ３にいる無線端末ＭＳ３は、ＳＡ４放送のみ受信可能であることを認識しており、現在無線端末ＳＡ４放送を受信している。このように本発明のシステムでは、ある地点に位置する無線端末に対して異なるＭＢＭＳを同時に提供できるように、周波数帯域の異なる複数個のＭＢＭＳエリアを互いに重なり合うように配置している。
【００４６】
上述の本発明のシステムでは、既存の基地局を利用する（図３ｂで後述するように例えばＢＳ２−６とＢＳ１−６とを同一基地局とする）ことで、新たに基地局を増設することなく、様々な形、大きさのエリアのサービス、様々なサービス期間の設定など、ＭＢＭＳを柔軟かつ動的に行うことが可能である。もちろん、後述する図３ａのように既存の基地局を利用せずに、新たに基地局を設置してもかまわない。
【００４７】
以下の実施の形態では、このような本発明のＭＢＭＳが実施されている環境での基地局と無線端末の構成について説明する。
【００４８】
図３ａは図２の位置ｘ２に無線端末がいる場合の基地局と無線端末の構成、および送受信の様子を示している。図３ａでは無線端末ＭＳ２が周波数帯ｆ３で提供されているＳＡ４放送を受信している様子を示している。無線端末ＭＳ２は、周波数帯ｆ１でサービスを提供している基地局ＢＳ１−３５、周波数帯ｆ２でサービスを提供している基地局ＢＳ３−９、周波数帯ｆ３でサービスを提供している基地局ＢＳ４−５のそれぞれのセル内に存在しているが、無線端末ＭＳ２は周波数帯ｆ３で提供されるサービスを受信している。したがって、周波数帯ｆ３でサービスを提供している基地局ＢＳ４−５およびその周辺セル（基地局ＢＳ４−４、ＢＳ４−６等）とのみ通信を行っている。すなわち、周波数帯ｆ１でサービスを提供している基地局ＢＳ１−３５およびその周辺セル（基地局ＢＳ１−３４、ＢＳ１−３６等）、周波数帯ｆ２でサービスを提供している基地局ＢＳ３−９およびその周辺セル（基地局ＢＳ３−８、ＢＳ３−１０等）とは通信を行っていない。また、無線端末ＭＳ２は基地局ＢＳ４−５からのみセル固有の報知信号を受信し、ＳＡ４放送データについては基地局ＢＳ４−５、およびその周辺セル（基地局ＢＳ４−４、ＢＳ４−６等）からの信号を合成して受信している。
【００４９】
また、それぞれの基地局（・・・、ＢＳ１−３４、ＢＳ１−３５、ＢＳ１−３６、・・・、ＢＳ３−８、ＢＳ３−９、ＢＳ３−１０、・・・、ＢＳ４−４、ＢＳ４−５、ＢＳ４−６、・・・）は、無線周波数帯のＯＦＤＭ信号の送信を行うアンテナ部３１、基地局のＭＢＭＳ送信信号に関する処理を行う送信部３２、基地局の様々な制御を行う制御部３３から構成される無線送信装置をそれぞれ備えている。無線端末ＭＳ２は、無線周波数帯のＯＦＤＭ信号の受信を行うアンテナ部３５、無線端末ＭＳ２のＭＢＭＳ受信信号に関する処理を行う受信部３６、無線端末の様々な制御を行う制御部３７から構成されている。
【００５０】
図３ａは、サービス毎に基地局が異なる構成を示しているが、必ずしもサービス毎に基地局が異なるようにする必要はなく、同一の基地局で複数のサービスを実施するようにしてもよい。図３ｂはこのような場合の構成を示した図である。
【００５１】
図３ｂは図２の位置ｘ１に無線端末がいる場合の基地局と無線端末の構成、および送受信の様子を示している。図３ｂでは端末ＭＳ１が周波数帯ｆ２でサービスを提供しているＳＡ２放送を受信している様子を示している。無線端末ＭＳ１は、周波数帯ｆ１および周波数帯ｆ２で複数のサービスを提供している基地局ＢＳ１−６（ＢＳ２−６）のセル内に存在しており、基地局ＢＳ１−６（ＢＳ２−６）およびその周辺セル（基地局ＢＳ１−５（ＢＳ２−５）、基地局ＢＳ１−７（ＢＳ２−７）等）と通信を行っている。無線端末ＭＳ１は周波数帯ｆ２で提供されるサービスを受信しているため、ＳＡ２放送を受信している。また、無線端末ＭＳ１は基地局ＢＳ１−６（ＢＳ２−６）からのみセル固有の報知信号を受信し、ＳＡ２放送データは基地局ＢＳ１−６（ＢＳ２−６）およびその周辺セル（基地局ＢＳ１−５（ＢＳ２−５）、ＢＳ１−７（ＢＳ２−７）等）から受信し、受信した信号を合成して使用する。
セル固有の報知信号には、そのセルが属するＭＢＭＳエリアの位置情報が含まれている。
【００５２】
また、それぞれの基地局（・・・、ＢＳ１−５（ＢＳ２−５）、ＢＳ１−６（ＢＳ２−６）、ＢＳ１−７（ＢＳ２−７）、・・・）は、それぞれ異なった無線周波数帯ｆ１、ｆ２のＯＦＤＭ信号の送信を行う２つのアンテナ部３１ａ、３１ｂ、基地局のそれぞれ異なったサービスのＭＢＭＳ送信信号に関する処理を行う２つの送信部（ＳＡ１、ＳＡ２）３２ａ、３２ｂ、基地局の様々な制御を行う制御部３３から構成されている。ここでは、２つのアンテナ部と送信部をもつ基地局構成となっているが、それよりも多くのサービスに同時に対応するために、３つ以上のアンテナ部と送信部とを持つ構成とすることも可能である。無線端末（ＭＳ１）は、図３ａの無線端末ＭＳ２と同様に、所定の無線周波数帯のＯＦＤＭ信号の受信を行うアンテナ部３５、無線端末ＭＳ１のＭＢＭＳ受信信号に関する処理を行う受信部３６、無線端末ＭＳ１の様々な制御を行う制御部３７から構成されている。
【００５３】
次に、本発明に係る基地局の送信部の機能について簡単に説明する。図４は、本発明に係る基地局の送信部（図３ａ、図３ｂの基地局の送信部３２、３２ａ、３２ｂに相当）の構成を示す機能ブロック図である。まず、全ユーザで共通となるＭＢＭＳ情報に相当するＭＢＭＳデータや制御信号に相当する制御データなどのデータ（ＭＢＭＳ  ｄａｔａ）が、第１変調部４５に入力される。第１変調部４５では、それぞれのデータに相当する変調が行われ、変調されたデータシンボルが得られる。例えば、基地局がカバーしているサービスエリアの通信環境が良い場合には、ＭＢＭＳデータは６４ＱＡＭに、制御データはＱＰＳＫなどに変調され、それぞれのデータシンボルが得られる。また、通信に必要なパラメータなどを報知するための報知信号を伝送する報知チャネル（ＢＣＨ：Ｂｒｏａｄｃａｓｔ  Ｃｈａｎｎｅｌ）は第２変調部４６へ入力される。本実施の形態でのＢＣＨはセル固有のＢＣＨとなっている。第２変調部４６では、それぞれのデータに相当する変調が行われ、変調されたＢＣＨシンボルが得られる。例えば、ＱＰＳＫなどに変調され、ＢＣＨシンボルが得られる。変調されたデータシンボル、ＢＣＨシンボルはシンボル配置部４０に入力される。シンボル配置部４０には、さらに信号の同期をとるための同期信号が同期チャネル（ＰＳＣＨ：Ｐｒｉｍａｒｙ  Ｓｙｎｃｈｒｏｎｉｚａｔｉｏｎ  Ｃｈａｎｎｅｌ、ＳＳＣＨ：Ｓｅｃｏｎｄａｒｙ  Ｓｙｎｃｈｒｏｎｉｚａｔｉｏｎ  Ｃｈａｎｎｅｌ）から入力され、リファレンス信号（ＲＳ：Ｒｅｆｅｒｅｎｃｅ  Ｓｉｇｎａｌ）も入力される。
【００５４】
本実施の形態では、高速に所望のセルと同期がとれるように、ＰＳＣＨとＳＳＣＨの２つの同期チャネルで構成されている。例えば、最初に同期をとるためのＰＳＣＨは、３種類のコードから成っており、そのコードを判別することで、所望のセルＩＤのＩＤ候補を絞り、次に同期をとるためのＳＳＣＨでＩＤ候補の中から所望のセルＩＤを判別することで同期を高速化している。同期チャネルについては、本実施の形態に限らずにＰＳＣＨにＭＢＭＳのサービスＩＤを割り当て（セル共通のＰＳＣＨ）、ＳＳＣＨに所望のセルＩＤを割り当てることも可能であり、また１種類の同期チャネルで構成することも可能である。
【００５５】
本実施の形態のリファレンス信号ＲＳは、セル共通ＲＳとセル固有ＲＳとから構成されている。セル共通ＲＳは、ＭＢＭＳ  ｄａｔａ復調のためのチャネル推定等に用いられ、セル固有ＲＳは、セル固有のＢＣＨ復調のためのチャネル推定等に用いられる。
【００５６】
それぞれの第１変調部４５、第２変調部４６で生成されたデータシンボルやＢＣＨシンボル、および、ＰＳＣＨ、ＳＳＣＨ、セル共通ＲＳ、セル固有ＲＳは、予め決められたシンボル配置となるよう、シンボル配置部４０でリソースエレメントに配置される。例えば、後述する図６のように配置する。配置されたそれぞれのシンボルは、ＩＦＦＴ処理部４２で時間領域の信号に変換される。その後、無線部４４で無線周波数帯の信号に変換され、送信アンテナより信号が送信される。本実施の形態では送信アンテナは１本であるが、複数本用意してＭＩＭＯ（Ｍｕｌｔｉ−Ｉｎｐｕｔ  Ｍｕｌｔｉ−Ｏｕｔｐｕｔ）通信を行うことも可能である。以上が、本発明に係る基地局の送信部３２、３２ａ、３２ｂの機能ブロック図である。
【００５７】
次に上述したシンボル配置部４０での配置の仕方について説明する。図５は本実施の形態での基地局の信号フォーマットを示した図である。フレーム長は１０ｍｓｅｃであり、＃０から＃９までの１０個のサブフレーム（サブフレーム長１ｍｓｅｃ）から構成されている。＃０および＃５は報知チャネルや同期チャネルが含まれるサブフレームを示している。＃１から＃４および＃６から＃９のサブフレームにはＭＢＭＳデータシンボルおよびセル共通ＲＳのみが含まれる。
【００５８】
図６ａは＃１から＃４および＃６から＃９のサブフレームのシンボル配置図を示している。縦軸は周波数、横軸は時間を示している。１サブフレーム（１ｍｓｅｃ）は６個のＯＦＤＭシンボルで構成されており、それぞれのＯＦＤＭシンボルに対してＯＦＤＭ信号の遅延波の影響を軽減するためのＣＰ（Ｃｙｃｌｉｃ  Ｐｒｅｆｉｘ）が付加されている。サブキャリア間隔は７．５ｋＨｚとしている。空白のマスにはＭＢＭＳデータシンボルが配置される。符号Ｒ１のマスにはセル共通ＲＳが配置され、配置のされ方としてはＭＢＭＳデータシンボルを復調するためのチャネル推定値を精度よく推定できるように周波数方向、時間方向にまばらに配置されている。これらのＭＢＭＳデータシンボルやセル共通ＲＳは、ＭＢＭＳエリア内で共通の信号となっており、無線端末側ではそれらを合成することによって受信を行うことになる。
【００５９】
図６ｃは＃０のサブフレームのシンボル配置図を示している。システム帯域に対して、ｆｃを中心とする中心帯域のみに、報知チャネルや同期チャネルが含まれており、それ以外の帯域には図６ａと同様のシンボル配置となっている。中心帯域に存在するＳ１のマスにはＰＳＣＨ、Ｓ２のマスにはＳＳＣＨ、ＢのマスにはＢＣＨシンボル、Ｒ２のマスにはセル固有ＲＳが配置される。中心帯域にあるこれらのシンボルはすべて、図６ａや図６ｂの中心帯域外のようなＭＢＭＳエリア内で共通の信号ではなく、セル固有の信号となっている。セル固有ＲＳはセル固有のＢＣＨを復調するためのチャネル推定等のために配置された信号である。
【００６０】
本実施の形態ではＰＳＣＨは上述したように３種類のコードからなっており、コードの種類を特定することでセルＩＤを３つのグループに分けた中の１グループを特定できる。ＳＳＣＨはそのグループ内のセルＩＤ数の種類のコードからなっておりそのコードを特定することで、セルＩＤを判別することが可能である。
【００６１】
図６ｂは＃５のサブフレームのシンボル配置図を示している。＃０のサブフレームとの違いはＢＣＨシンボルが配置されていないことであり、それに伴いセル固有ＲＳも配置されていない。その代わりに、中心帯域外と同様にＭＢＭＳデータシンボルおよびセル共通ＲＳが配置される。＃５に配置されているＰＳＣＨは＃０のサブフレームのＰＳＣＨと同じコードのものが配置されている。一方、＃５に配置されているＳＳＣＨは＃０のサブフレームのＳＳＣＨと異なったコードのものが配置されており、＃０と＃５のサブフレームのＳＳＣＨを検出することでフレームタイミングを検出することができるように＃０と＃５のそれぞれのＳＳＣＨは関連付けられたコードとなっている。
【００６２】
また、図６ａ、図６ｂのＰＳＣＨおよびＳＳＣＨ以外、図６ｃの中心帯域以外は、ＭＢＭＳエリア内で共通の信号であるため、送信電力を大きくすればそれだけ受信特性を高めることが可能である。しかし、それ以外の信号はセル固有の信号であるため送信電力を大きくしても、同時に他セルの干渉にもなるため受信特性改善には効果が見られない。このため、図６ｂのＰＳＣＨおよびＳＳＣＨや図６ｃの中心帯域の信号は図６ａ、図６ｂのＰＳＣＨおよびＳＳＣＨ以外、図６ｃの中心帯域以外の送信電力よりも小さめに設定して送信するのが好ましい。もちろん、同じレベルに設定してもよい。
【００６３】
図６ｄおよび図６ｅは、＃０および＃５のサブフレームの図６ｂおよび図６ｃとは別のシンボル配置図の例を示している。図６ｂや図６ｃと同様にシステム帯域に対して、ｆｃを中心とする中心帯域のみに、報知チャネルや同期チャネルが含まれている。マス目の意味については図６ｂと同様である。図６ｂや図６ｃとの違いは同期チャネルであるＰＳＣＨとＳＳＣＨのあるＯＦＤＭシンボルのみ他のＯＦＤＭシンボルの半分の長さとなっていることである。このためサブキャリア間隔も他のＯＦＤＭシンボルの２倍の周波数間隔となっている。また、図６ｅの中心帯域外にあるＭＢＭＳデータシンボルやセル共通ＲＳも中心帯域内にも配置されている。このように同期チャネルのあるＯＦＤＭシンボルの長さを他のＯＦＤＭシンボルの長さの半分にする、すなわち周波数間隔を２倍の１５ｋＨｚにすることにより、初期周波数オフセットに対する周波数引き込み範囲が広がり、初期周波数オフセットの耐性が高まる。また、３ＧＰＰ  ＬＴＥ（Ｌｏｎｇ  Ｔｅｒｍ  Ｅｖｏｌｕｔｉｏｎ）でのユニキャスト通信においては、サブキャリア間隔が１５ｋＨｚであり、同期チャネルをユニキャストと全く同じにすることが可能であるため、ユニキャスト受信も可能な端末においては端末の簡単化につなげることが可能となる。
【００６４】
信号フォーマットやシンボル配置については図５や図６に示すような配置に限られるものではなく、図５および図６の配置と同様の機能が発揮できれば本発明の実施は可能である。例えば、図６の例では、ＢＣＨ復調用のチャネル推定を行うためにセル固有ＲＳを配置しているが、ＢＣＨ復調用のチャネル推定をセル固有の同期チャネル（ＰＳＣＨ、ＳＳＣＨ）を利用して行うことも可能であり、この場合にはＢＣＨ復調のためのセル固有ＲＳは不必要となる。この場合、図４に示すセル固有ＲＳの入力は必要ない。もしＰＳＣＨもＳＳＣＨもともにＭＢＭＳエリア共通のチャネルであった場合にはＢＣＨ復調のためのセル固有ＲＳは必要となってくる。なお、報知用の信号として、ＢＣＨを用いているが、セル固有の情報として全ユーザに共通の情報を通知できれば良く、たとえば、ＰＤＳＣＨ等セル固有に設けられた信号であれば、用いることができる。
【００６５】
図７を参照して報知情報（報知チャネル：ＢＣＨ）に含まれるＭＢＭＳ帯域情報について説明する。図７のように、ＭＢＭＳ帯域情報として、周波数帯をｆ１からｆ１６の１６種類（４ビット）、サービスをＳＡ１からＳＡ３２の３２種類（５ビット）、各位置における同時最大サービス数を４とした場合には合計３６ビットが必要な情報量となる。無線端末が図２の位置ｘ１周辺にいる場合には、図７（ａ）に示すＭＢＭＳ帯域情報がＢＣＨにのせられて報知される。例えば、ＢＳ１−６（ＢＳ２−６）から送信される報知チャネルＢＣＨには図７（ａ）に示すＭＢＭＳ帯域情報が含まれている。同様に、それぞれ図２の位置ｘ２、ｘ３周辺にいる場合には、それぞれ図７（ｂ）、（ｃ）に示すＭＢＭＳ帯域情報がＢＣＨにのせられて報知される。例えば、ＢＳ１−３５、ＢＳ３−９、ＢＳ４−５から送信される報知チャネルには、図７（ｂ）に示すＭＢＭＳ帯域情報が含まれ、ＢＳ４−３４から送信される報知チャネルには、図７（ｃ）に示すＭＢＭＳ帯域情報が含まれる。
【００６６】
図７の例では最大サービス数を４としているが、最大サービス数が１６など大きくなる場合には、図７（ｃ）に示すように１サービスしかされていない場合、残りの１５サービスの情報を示すビット数が無駄になってしまう。このため、ＭＢＭＳ帯域情報として固定のビット数を確保するのではなく、ＭＢＭＳ帯域情報＝“最大サービス数、１番目のＭＢＭＳ帯域情報、２番目のＭＢＭＳ帯域情報、・・・”というように、最大サービス数に応じて情報ビット数を可変にすることも可能である。すなわち、サービス数が少ない時には少ない情報ビット数で、サービス数が多い時には多い情報ビット数で柔軟に変更することが可能である。
【００６７】
このような可変のビット数の情報をＢＣＨに格納することが困難なシステムにおいては、別のチャネル、例えば制御チャネルにＭＢＭＳ帯域情報を格納することも可能である。もちろん、図７に示すような固定の情報ビット数の場合でもＢＣＨに３６ビット分の格納が困難な場合には、制御チャネル等に格納することも可能である。
【００６８】
このようにＭＢＭＳ帯域情報をＢＣＨに入れない場合、すなわちセル固有のＢＣＨの必要がない場合には、図６ａ〜ｅで示したセル固有ＢＣＨはＭＢＭＳ  ｄａｔａと同様にＭＢＭＳエリア共通のＢＣＨとしてもよく、その場合にはＢＣＨ復調のためのチャネル推定に必要としていたセル固有ＲＳは不必要となる。また、それに応じてセル固有の同期チャネル（ＰＳＣＨ、ＳＳＣＨ）についてもＭＢＭＳエリア共通とすることが可能である。
ただし、この場合、ＭＢＭＳ帯域情報は別のチャネル、例えば制御チャネルに入れることとなり、セル固有の制御チャネルおよびそれを復調するためのセル固有ＲＳが別に必要となる。
【００６９】
次に、本発明に係る無線端末の受信部の機能構成について簡単に説明する。図８は、本発明に係る無線端末の受信部（図３ａ、３ｂの無線端末ＭＳ１、ＭＳ２の受信部３６に相当）の機能をまとめて示すブロック図である。受信部は、アンテナ部３５より受信された無線周波数帯の信号をベースバンド帯の信号に変換する無線部８１、変換されたベースバンド信号を用いてセルサーチを行うサーチャ部８２、変換された時間領域のベースバンド信号を周波数領域の信号に変換するＦＦＴ処理部８３、周波数領域の信号からＢＣＨシンボル、ｄａｔａシンボル、セル固有ＲＳ、セル共通ＲＳを抽出するシンボル分離部８４を含んで構成される。また、抽出されたセル固有ＲＳからＢＣＨ復調のためのチャネル推定を行う第１チャネル推定部８５、抽出されたセル共通ＲＳからＭＢＭＳ  ｄａｔａ復調のためのチャネル推定を行う第２チャネル推定部８６を含んで構成される。さらに、抽出されたＢＣＨシンボルおよび第１チャネル推定部８５で生成された推定値をもとにＢＣＨの復調を行う第１復調部８７、抽出されたｄａｔａシンボルおよび第２チャネル推定部８６で生成された推定値をもとにＭＢＭＳ  ｄａｔａの復調を行う第２復調部８８を含んで構成されている。
【００７０】
即ち、第１復調部８７は各セルに共通の信号を復調する第１の復調部を構成し、第２復調部８８は各セルに固有の信号を復調する第２の復調部を構成していることになる。
なお、図示していないが、サーチャ部８２の内部にＳＳＣＨ復調のためのＦＦＴ処理部を備えている。もちろん、サーチャ部８２のＦＦＴ処理部は外部にあるＦＦＴ処理部８３を兼用してもかまわない。ただし、ＳＳＣＨの復調を時間領域で行う場合には、ＦＦＴ処理部８３を内部に備える必要はない。
以上が本発明に係る無線端末ＭＳ１、ＭＳ２の受信部３６の機能構成である。
【００７１】
次に図８を参照しながら、無線端末ＭＳ１、ＭＳ２の電源がＯＮになってからその地点で放送されている希望のＭＢＭＳ  ｄａｔａを受信するまでのフローを図９に示す。
【００７２】
無線端末を電源ＯＮにすると（ステップ９０２）、無線部８１ではまず、初期値をｉ＝１に設定する（ステップ９０４）。すなわち、ダウンコンバートする周波数をｆ［１］の周波数に設定する（ステップ９０６）。受信アンテナより受信された無線周波数帯（ｆ１）の信号をベースバンド帯の信号に変換する。変換されたベースバンド信号は、まず初期セルサーチ処理を行うためサーチャ部８２へ入力する。サーチャ部８２へ必要な信号としては、ＰＳＣＨおよびＳＳＣＨであるため、サーチャ部８２へ入力する際には図６に示すように中心周波数帯ｆｃのみフィルタリングして入力してもかまわない。サーチャ部８２へ入力された信号から、ＰＳＣＨの３種類の候補となるコードで相関処理（ステップ９０８）を行う。
【００７３】
３種類のコードのどれか一つにおいて相関値が、ある決められた閾値αよりも大きければ（ステップ９１０）、そのＰＳＣＨのコードにおいて相関がとれたと判断する。すなわち周波数ｆ１で提供されているＭＢＭＳ信号のＰＳＣＨの検出ができたことになる。
【００７４】
相関値が閾値α以下であれば、周波数ｆ１ではサービスが提供されていないと判断し、次のサービスの検出、すなわちｉ＝ｉ＋１に更新して（ステップ９１２）次のサーチの候補となるサービスの周波数ｆ［２］に設定し、同様に３種類のＰＳＣＨコードでの相関処理を行う。これらの処理をサービスが提供されている周波数が検出できるまで繰り返し行う。
【００７５】
ＭＢＭＳ信号のＰＳＣＨの検出ができると、セルＩＤグループおよびＯＦＤＭシンボルタイミングを検出することができる（ステップ９１４）。ＰＳＣＨの検出が完了した後は、ＳＳＣＨの検出処理を行う。ＳＳＣＨの検出処理については、ＰＳＣＨの検出によりＯＦＤＭシンボルタイミングが分かるため、そのタイミングでサーチャ部８２内にあるＦＦＴ処理部８３で周波数領域に変換した後の信号によりＳＳＣＨ検出処理を行う。周波数領域に変換した信号に対して、検出したセルＩＤグループのコードとの相関処理を行うことによりＳＳＣＨの検出を行うことができる。あるいはＳＳＣＨの含まれるＯＦＤＭシンボルの直前のＯＦＤＭシンボルに含まれているＰＳＣＨの伝搬路による位相回転量を算出することにより直接ＳＳＣＨを復調することも可能である。また、上述したＳＳＣＨ検出については周波数領域での検出方法を述べているが、ＦＦＴ処理を行わずに時間領域での相関を行うことで検出してもよい（この場合にはサーチャ部８２にＦＦＴ処理部を設ける必要はない）。ＳＳＣＨ検出処理については上述した処理に限定されるものではなく、その他の方法でＳＳＣＨの検出を行ってもかまわない。ＳＳＣＨの検出が完了することによって、セルＩＤおよびフレーム周期を検出することが可能になる（ステップ９１６）。フレーム周期については、ＳＳＣＨは＃０と＃５のサブフレームで異なるコードが使用されているため、どのサブフレームのＳＳＣＨかを判別することが可能となり、これによりフレーム周期も算出することが可能となる。
【００７６】
以上によりサーチャ部８２での初期セルサーチ処理は完了する。ただし、上述した初期セルサーチ処理には周波数オフセットやシンボルタイミングの補正処理を明示してはいないが、このような処理も初期セルサーチで行う。
【００７７】
初期セルサーチが完了後、変換されたベースバンド信号はＦＦＴ処理部８３に入力される。ＦＦＴ処理部８３で周波数領域の信号に変換され、シンボル分離部８４に入力される。シンボル分離部８４では、初期セルサーチにより得られたセルＩＤやフレーム周期をもとに、ＢＣＨシンボル、セル固有ＲＳ、ｄａｔａシンボル、セル共通ＲＳを抽出し、それぞれを第１復調部８７、第１チャネル推定部８５、第２復調部８８、第２チャネル推定部８６に入力する。
【００７８】
まず、報知情報を復調するために、セル固有ＲＳを用いて所望セルからの伝搬路の推定、すなわちチャネル推定（ステップ９１８）を行う。得られたチャネル推定値をもとにＢＣＨを復調し、ＢＣＨ内に含まれている帯域情報を取得する（ステップ９２０）。帯域情報を取得することにより、その地点で放送されているサービス情報が得られ、その情報をユーザに知らせるために無線端末のディスプレイ上に放送サービス情報を表示する（ステップ９２２）。ユーザはその放送サービスの中から視聴したいサービスを選択する（ステップ９２４）（放送サービス情報表示とともにユーザが選択できるような仕組みにしておく）。
【００７９】
もしユーザが選択したサービスの周波数がセルサーチ時に検出した周波数と同じであれば（ステップ９２６）、そのままＭＢＭＳ  ｄａｔａの復調処理に移行する。同じ周波数でなければ、無線部８１のダウンコンバートする周波数を所望の周波数に設定する（ステップ９２８）。その後、上述したようにサーチャ部８２でセルサーチ処理、すなわちＰＳＣＨ、ＳＳＣＨ相関処理を行い、セルＩＤおよびフレーム周期検出を行う（ステップ９３０）。その後、セル固有ＲＳを用いてのチャネル推定およびＢＣＨ復調を行うことで、ユーザが選択した放送サービスに対するＢＣＨ復調までが完了する（ステップ９３２，９３４）。
【００８０】
ただし、セルサーチ処理の際に、基地局が図３ｂのように複数のサービスを放送している場合には、それらの複数のサービスに対するセルＩＤやフレーム周期が同一である場合もあり、この場合にはセルＩＤやフレーム周期の検出を行う必要がなく、またＢＣＨ復調も行う必要がないことも考えられる。このような場合には、セルサーチ処理やＢＣＨ復調処理を省略して、次のＭＢＭＳ  ｄａｔａの復調処理に移行してもかまわない。
【００８１】
ＢＣＨ復調処理完了後、ＭＢＭＳ  ｄａｔａを復調するために、セル共通ＲＳを用いて所望セルや周辺セルからの合成した伝搬路の推定、すなわちチャネル推定を行う（ステップ９３６）。得られたチャネル推定値をもとにＭＢＭＳ  ｄａｔａを復調し、ユーザが選択した放送サービス受信を開始する（ステップ９３８）。
【００８２】
以上が、図９のＭＢＭＳ受信までのフローとなる。以上のフロー例では帯域情報取得後に放送サービスをユーザが選択するフローとしているが、帯域情報を取得して放送サービス情報を表示したあと、ユーザに放送サービスの選択をさせている間に、並行して初期セルサーチ時で同期のとれている周波数でＭＢＭＳ  ｄａｔａの復調を行い、サービスの受信を開始しておいてもかまわない。
【００８３】
また、ユーザは特に放送サービス情報の選択をしないで、まず最初に受信したサービスを視聴して、随時サービスを切り替えて視聴したい放送を選択するようにしてもかまわない。
ただし、上述した同期のとれている周波数で受信を開始しておく方法や、最初に受信したサービスを視聴してみる方法については、そのサービスが有料サービスであった場合には最初にあるいはどこかでユーザの視聴確認を行っておく。
【００８４】
図９で述べたような本発明のサービスサーチ方法を利用すると、その地点でサービスされている放送の中のひとつをサーチして受信するだけで、その他のサービスをサーチすることなくサービス帯域情報を得られるため、サーチ時間が大幅に減少する。
【００８５】
次に、所望のＭＢＭＳ受信を開始した後、無線端末(ユーザ)がＭＢＭＳエリア間を移動する場合のフローを図１０ａに示す。所望のＭＢＭＳ受信開始後（ステップ１００２）、無線端末が現在いる自セルのセル固有ＲＳの受信レベルＬ０を測定する（ステップ１００４）。同様に、周辺セルのセル固有ＲＳ受信レベル（Ｌ１、Ｌ２、…）を測定する（ステップ１００６）。自セルのセル固有ＲＳの受信レベルＬ０が、周辺セルのすべてのセル固有ＲＳの受信レベル（Ｌ１、Ｌ２、…）の中の最大値（ｍａｘ）よりも大きい場合（ステップ１００８）には、そのまま次のセル共通ＲＳ受信レベル測定に移行する（ステップ１０１０）。
【００８６】
一方、自セルのセル固有ＲＳの受信レベルＬ０が、周辺セルすべてのセル固有ＲＳの受信レベル（Ｌ１、Ｌ２、…）の中の最大値（ｍａｘ）よりも小さい場合（ステップ１００８）には、周辺セルのセル固有ＲＳの受信レベルが最大値（ｍａｘ）をもつセルにＢＣＨ受信のハンドオーバを行う（ステップ１０１２）。ハンドオーバ先のセル固有ＲＳによりチャネル推定を行い、ＢＣＨ復調を行うことで、帯域情報受信を行う（ステップ１０１４）。受信した帯域情報に変化があった場合、すなわちサービス帯域やそれらの帯域でのサービス内容に変化があった場合には（ステップ１０１６）、放送サービス情報を更新する（ステップ１０１８）。もし放送サービス情報が常時無線端末のディスプレイに表示されているのであれば、その表示も更新する。その後セル共通ＲＳ受信レベル測定に移行する。受信した帯域情報に変化がなかった場合にはそのままセル共通ＲＳ受信レベル測定に移行する（ステップ１０１０）。
【００８７】
次にセル共通ＲＳ受信レベルＬａの測定を行う。その測定値Ｌａがある閾値βよりも大きい場合には（ステップ１０２０）、そのままＭＢＭＳ受信を継続する（ステップ１０２２）。ただし、閾値βについては、現在受けているＭＢＭＳ放送が最低限受信可能な場合のセル共通ＲＳのレベル＋α（誤差分）に決める。測定値Ｌａが閾値βよりも小さい場合には（ステップ１０２０）、現在受けているＭＢＭＳ放送が受信できなくなると判断し、放送サービス情報にあるサービスの中から別の放送サービスの周波数帯に切り替えて（ステップ１０２４）、そのサービスの受信を開始する（ステップ１００２）。放送サービスの切り替えに対してはセル共通ＲＳのレベルのみで判断しているが、端末の移動速度も考慮に入れて判断するとさらに精度のよい切り替えが可能になる。
【００８８】
その後、ＭＢＭＳ受信を継続し、ある決められた測定周期ΔＴ秒後に、上述したフローを再度繰り返す。
【００８９】
図１０ａで述べたような端末が移動する場合のフローを利用すると、ＭＢＭＳエリアをまたぐ場合でも、サービスサーチをする必要がなく、帯域情報をＢＣＨのハンドオーバを行いながら受信し続けることで、常時放送サービス情報を保持することが可能となる。
【００９０】
次に所望のＭＢＭＳ受信を開始した後、無線端末（ユーザ）がＭＢＭＳエリア間を移動する場合の図１０ａとは別のフローを図１０ｂに示す。違いは、このフローにおける基地局が、報知情報として帯域情報だけではなく、自局がＭＢＭＳエリアのエッジのセルであるかどうかを示すサービスエッジ情報（エリア端情報）も報知することである。無線端末は、このサービスエッジ情報を受信することで、在圏しているセルがＭＢＭＳエリアの端のセルであるか否かを判定することができる。
【００９１】
ここでは違いのあるところのみを説明する。ＢＣＨハンドオーバの後（ステップ１０１２）にサービスエッジ情報を受信する（ステップ１０１３）。ここで取得した情報は次に説明する放送サービスの切り替えの判断に利用する。図１０ａではセル共通ＲＳの受信レベルのみで放送サービスの切り替えの判断を行っていたが、図１０ｂではセル共通ＲＳ受信レベルＬａとサービスエッジ情報とにより判断する（ステップ１０２１）。詳細には、Ｌａが閾値βよりも小さく、かつサービスエッジである場合には別の放送サービスの周波数帯に切り替え（ステップ１０２４）、それ以外はそのままＭＢＭＳ受信を継続する（ステップ１０２２）。
【００９２】
以上のように制御することで、十分にＭＢＭＳエリア内にいる（サービスエッジ情報がエッジでない場合）にもかかわらず、周辺環境の影響でセル共通ＲＳの受信レベルが一時的に落ち込んで、閾値βよりも小さくなってしまうことにより別のサービスに切り替わってしまうことを確実に防ぐことが可能になる。
【００９３】
以上のフローは、帯域受信情報とサービスエッジ情報との組み合わせで利用しているが、サービスエッジ情報を単独で利用することも可能である。例えばサービスエッジ情報受信によりエッジにいるということが分かれば、ユーザはさらなる移動でそのサービスが切れることを認識することができる。それにより例えば、放送録画している場合などはユーザ自身が移動を止めたりするなどの判断を行うことが可能になる。
【００９４】
上述した実施の形態は、図２のようなシステム、すなわち同じ周波数帯かつ同じ位置に複数のサービスがないシステムについての例を述べてきた。しかしながら、３ＧＰＰにおいては同じ周波数帯かつ同じ位置において複数のサービスのあるＭＢＭＳシステムについても検討されている。例えば、２つのサービスを同じ周波数帯の高周波数帯にあるサブキャリアと低周波数帯にあるサブキャリアにわける方法や、時間でサービスを分割する方法などが考えられる。このような場合の実施の形態について説明する。
【００９５】
図１１はこのような場合のシステム概念図を示している。図１１は、位置ｘ１周辺では、周波数帯ｆ２においてＳＡ２（サービス２）放送とＳＡ５（サービス５）放送とが同時にサービスされており、位置ｘ２周辺では、周波数帯ｆ１においてＳＡ１（サービス１）放送とＳＡ６（サービス６）放送とが同時にサービスされている様子を示している。
【００９６】
このようなシステムの場合においても、違いはそのサービスがサブキャリアで分けているのか、時間で分けているのかの違いだけで、図２のようなシステムで述べた実施の形態と同様に実施することが可能である。帯域情報としては、図１１の場合には、図１２のＭＢＭＳ帯域情報その２−１あるいはその２−２に示すような帯域情報となり、帯域情報のフォーマットが変わるのみで、実施の仕方は図２のようなシステムで述べた通りである。なお、図１２において、（ａ）、（ｂ）、（ｃ）は、それぞれ、図１１における位置ｘ１、ｘ２、ｘ３の各々において報知される帯域情報である。
【００９７】
ＭＢＭＳ帯域情報その２−１の（ａ）は、周波数ｆ１にＳＡ１（サービス１）放送を対応付けるレコードと、周波数ｆ２にＳＡ２（サービス２）放送とＳＡ５（サービス５）放送とを対応付けるレコードとからなる。その２−１の（ｂ）は、周波数ｆ１にＳＡ１（サービス１）放送とＳＡ６（サービス６）放送とを対応付けるレコードと、周波数ｆ２にＳＡ３（サービス３）放送を対応付けるレコードとからなる。その２−１の（ｃ）は、周波数ｆ１にＳＡ６（サービス６）放送を対応付けるレコードと、周波数ｆ３にＳＡ４（サービス４）放送を対応付けるレコードとからなる。また、ＭＢＭＳ帯域情報その２−２では、ＭＢＭＳ帯域情報その２−１と同一の内容を示すが、１つの周波数に複数のサービスが対応付けられているときに、ＭＢＭＳ帯域情報その２−１のように１つのレコードで定義するのではなく、サービス毎のレコードとし、複数のレコードに分けて定義する。例えば、位置ｘ１の帯域情報であるＭＢＭＳ帯域情報その２−２の（ａ）は、周波数ｆ１にＳＡ１（サービス１）放送を対応付けるレコードと、周波数ｆ２にＳＡ２（サービス２）放送を対応付けるレコードと、周波数ｆ２にＳＡ５（サービス５）放送を対応付けるレコードとからなる。
【００９８】
以上のような方法により、同じ周波数帯かつ同じ位置において複数のサービスのあるＭＢＭＳシステムについても本発明の実施が可能である。
【００９９】
さらに以上の実施の形態では、帯域情報をセル固有の報知情報で受信する場合を述べたが、帯域情報だけではなく、様々なサービスがされている周波数帯域に関するサービス情報を、セル固有の報知情報あるいはそれに相当するセル固有の信号により受信することが可能である。例えば、視聴している周波数帯域以外のサービスで一時的にサービス内容の重要な情報の一部を受信することなどが可能となる。
【０１００】
以上、本発明の詳細について具体的な実施の形態に基いて説明したが、本発明の範囲を逸脱しない限り、各種の変形が可能なことは明らかである。従って本発明の技術的範囲は上述した実施の形態に限定されるものではない。
【符号の説明】
【０１０１】
３１、３１ａ、３１ｂ…アンテナ部
３２、３２ａ、３２ｂ…送信部
３３…制御部
３５…アンテナ部
３６…受信部
３７…制御部
４０…シンボル配置部
４２…ＩＦＦＴ処理部
４４…無線部
４５…第１変調部
４６…第２変調部
８１…無線部
８２…サーチャ部
８３…ＦＦＴ処理部
８４…シンボル分離部
８５…第１チャネル推定部
８６…第２チャネル推定部
８７…第１復調部
８８…第２復調部
【図１】
2010070844.tif 000003
【図２】
2010070844.tif 000004
【図３ａ】
2010070844.tif 000005
【図３ｂ】
2010070844.tif 000006
【図４】
2010070844.tif 000007
【図５】
2010070844.tif 000008
【図６ａ】
2010070844.tif 000009
【図６ｂ】
2010070844.tif 000010
【図６ｃ】
2010070844.tif 000011
【図６ｄ】
2010070844.tif 000012
【図６ｅ】
2010070844.tif 000013
【図７】
2010070844.tif 000014
【図８】
2010070844.tif 000015
【図９】
2010070844.tif 000016
【図１０ａ】
2010070844.tif 000017
【図１０ｂ】
2010070844.tif 000018
【図１１】
2010070844.tif 000019
【図１２】
2010070844.tif 000020
【国際調査報告】
2010070844.tif 000021
2010070844.tif 000022
2010070844.tif 000023
2010070844.tif 000024